(57)【要約】【課題】複数の言語の文章を含む画像形成対象データにおける使用者の言語による文章の視認性が低い場合に、使用者の言語による文章を他の部分とは異なる表示態様に変更して強調して印刷する。【解決手段】画像形成装置１は、使用者言語情報を取得する取得部１０１と、画像形成対象データに、使用者言語情報が示す使用者の言語が含まれているか否かを判定する保有判定部１０２と、画像形成対象データにおける使用者の言語の記載部分についての視認性の良否を予め定められた不適内容に該当するか否かにより判定する視認性判定部１０３と、不適内容に該当すると判定されると画像形成対象データによるにおける使用者の言語の記載部分を他の部分とは異なる表示態様に変更する態様変更部１０４と、変更された態様の画像形成対象データを用紙に画像形成する画像形成部１２と、を備える。【選択図】図２
2020104504.tif 000002
【特許請求の範囲】
【請求項１】
複数の言語による文章を含む画像形成対象データを受け付ける受付部と、
使用者が認識可能な予め定められた言語である使用者の言語を示す使用者言語情報を取得する取得部と、
前記受付部が受け付けた画像形成対象データに、前記取得部が取得した前記使用者言語情報が示す使用者の言語が含まれているか否かを判定する保有判定部と、
前記保有判定部において、前記受け付けた画像形成対象データに使用者の言語が含まれていると判定されると、前記受け付けた画像形成対象データにおける当該使用者の言語で記載されている部分についての視認性の良否を、予め定められた不適内容に該当するか否かにより判定する視認性判定部と、
前記視認性判定部において前記予め定められた不適内容に該当すると判定されると、前記受け付けた画像形成対象データにおける当該使用者の言語で記載されている部分を他の部分とは異なる表示態様に変更する態様変更部と、
前記態様変更部により変更された態様の画像形成対象データを記録媒体に形成する画像形成部と、を備える画像形成装置。
【請求項２】
前記視認性判定部は、前記不適内容を、前記受け付けた画像形成対象データにおいて、当該使用者の言語と、当該使用者の言語と同系の言語とが含まれていることとする請求項１に記載の画像形成装置。
【請求項３】
前記視認性判定部は、前記不適内容を、前記受け付けた画像形成対象データにおいて、当該使用者の言語とは異系の言語で記載されている部分の占める割合が、当該使用者の言語で記載されている部分の占める割合よりも大きいこととする請求項１又は請求項２に記載の画像形成装置。
【請求項４】
前記視認性判定部は、前記不適内容を、前記受け付けた画像形成対象データにおいて、当該使用者の言語とは異系の言語で記載されている部分と、当該使用者の言語で記載されている部分とが交互に配置されていることとする請求項１乃至請求項３のいずれかに記載の画像形成装置。
【請求項５】
予め用意された言語で操作に関する表示を行う表示部を有し、使用者により操作される操作部と、
前記表示部に表示される言語を、使用者による前記操作部の操作により指定された操作部言語情報が示す言語に設定する操作部言語設定部と、
当該画像形成装置にログインするためのログイン情報と当該ログイン情報に対応付けて記憶されている使用者言語情報とを予め記憶する記憶部と、
使用者により前記操作部に入力されたログイン情報が、前記記憶部に記憶されているログイン情報と一致すると判断したとき、当該画像形成装置へのログインを許可するログイン処理部と、を備え、
前記取得部は、前記ログイン処理部が当該画像形成装置へのログインを許可した場合には、使用者による前記操作部の操作により指定された操作部言語情報が示す言語にかかわらず、前記ログイン情報に対応付けて記憶されている前記使用者言語情報を前記記憶部から取得し、前記記憶部に前記使用者言語情報が記憶されておらず当該使用者言語情報を取得できない場合には、使用者による前記操作部の操作により指定された操作部言語情報を取得する、請求項１乃至請求項４のいずれかに記載の画像形成装置。
【請求項６】
前記受け付けた画像形成対象データがカラーであるか否かを判定するカラー判定部と、
前記画像形成部による前記画像形成対象データを記録媒体に形成する設定がカラー設定又はモノクロ設定の何れであるかを判定する設定判定部と、を備え、
前記態様変更部は、
前記視認性判定部において前記予め定められた不適内容に該当すると判定された場合であって、
(i)前記受け付けた画像形成対象データがカラーであるか否かを前記カラー判定部が判定し、前記カラー判定部にて当該画像形成対象データがカラーではないと判定され、かつ、前記設定判定部にてカラー設定であると判定された場合に、当該画像形成対象データにおける当該使用者の言語で記載されている部分を前記異なる表示態様としてのカラー表示態様に変更し、
(ii)前記カラー判定部にて当該画像形成対象データがカラーであると判定された場合又は前記設定判定部にてモノクロ設定であると判定された場合に、当該画像形成対象データにおける当該使用者の言語で記載されている部分については前記カラー表示態様への変更を行わない請求項１乃至請求項５のいずれかに記載の画像形成装置。
【発明の詳細な説明】
【技術分野】
【０００１】
本発明は、画像形成装置に関し、特に、複数の言語の文章を含む画像形成対象データを印刷するに際して使用者の言語で示される文章を他の部分とは異なる表示態様に変更して印刷する技術に関する。
【背景技術】
【０００２】
プリンターにおけるテキストファイルの印刷において、当該テキストファイルの特定の単語のフォントを変更して印刷する装置がある。この装置は、特定の単語とその表示フォントとが予約語として使用者によって事前に登録され、入力されたテキストファイルに当該予約語が含まれている場合に、当該予約語のフォントを登録しておいたフォントで印刷する（特許文献１を参照）。
【先行技術文献】
【特許文献】
【０００３】
【特許文献１】特開２０００−０８９９２６号公報
【発明の概要】
【発明が解決しようとする課題】
【０００４】
しかしながら、特許文献１に記載の装置では、複数の言語の文章を含む原稿を印刷するに際して、使用者が認識可能な言語（以下、適宜に「使用者の言語」と呼ぶ）で示される文章を強調して印刷するためには、使用者の言語による文章の全文字を予約語として事前に登録しておく必要があり、全文字を予約語として事前に登録しておく作業に時間を要する。このため、特許文献１に記載の装置では、複数の言語の文章を含む原稿を印刷するに際して使用者の言語による文章を強調する印刷を簡単に行うことはできない。
【０００５】
また、上記装置では、複数の言語による文章を含む画像形成対象データの印刷に際して、当該画像形成対象データにおける使用者の言語で記載されている部分についての視認性の良否を判定すること、及び、当該視認性が良くない場合（つまり、視認性の低い文章の場合）に使用者の言語による文章を強調して印刷することはできない。
【０００６】
本発明は、上記の事情に鑑みなされたものであり、複数の言語の文章を含む画像形成対象データを印刷するに際して、当該画像形成対象データにおける使用者の言語による文章についての視認性が低い場合に、使用者の言語による文章を他の部分とは異なる表示態様に変更して印刷することを目的とする。
【課題を解決するための手段】
【０００７】
本発明の一局面に係る画像形成装置は、複数の言語による文章を含む画像形成対象データを受け付ける受付部と、
使用者が認識可能な予め定められた言語である使用者の言語を示す使用者言語情報を取得する取得部と、
前記受付部が受け付けた画像形成対象データに、前記取得部が取得した前記使用者言語情報が示す使用者の言語が含まれているか否かを判定する保有判定部と、
前記保有判定部において、前記受け付けた画像形成対象データに使用者の言語が含まれていると判定されると、前記受け付けた画像形成対象データにおける当該使用者の言語で記載されている部分についての視認性の良否を、予め定められた不適内容に該当するか否かにより判定する視認性判定部と、
前記視認性判定部において前記予め定められた不適内容に該当すると判定されると、前記受け付けた画像形成対象データにおける当該使用者の言語で記載されている部分を他の部分とは異なる表示態様に変更する態様変更部と、
前記態様変更部により変更された態様の画像形成対象データを記録媒体に形成する画像形成部と、を備えるものである。
【発明の効果】
【０００８】
本発明によれば、複数の言語の文章を含む画像形成対象データを印刷するに際して、当該画像形成対象データにおける使用者の言語による文章についての視認性が低い場合に、使用者の言語による文章を他の部分とは異なる表示態様に変更して印刷することができる。また、画像形成対象データにおける使用者の言語による文章についての視認性が高い場合には、使用者の言語による文章を他の部分とは異なる表示態様に変更することなく印刷するので、他の部分とは異なる表示態様に変更して印刷するためのトナー（例えばカラートナーなど）が余分に消費されることを防止できる。
【図面の簡単な説明】
【０００９】
【図１】本発明の実施形態に係る画像形成装置の構造を示す模式的な部分断面正面図である。
【図２】実施形態に係る画像形成装置の主要内部構成を概略的に示す機能ブロック図である。
【図３】操作部の表示部に表示される操作画面の一例を示す図である。
【図４】ユーザー情報記憶部のデータ構成の一例を示す図である。
【図５】画像形成装置による印刷処理の一例を示すフローチャート図である。
【図６】（Ａ）は、元の画像形成対象データに使用者の言語と同系の言語とが含まれる場合に強調変更された画像形成対象データの一例を示す図、（Ｂ）は、元の画像形成対象データに使用者の言語と同系の言語とが含まれない場合に強調変更がされない画像形成対象データの一例を示す図である。
【図７】（Ａ）は、３／４以上が使用者の言語以外の言語である場合に強調変更された画像形成対象データの一例を示す図、（Ｂ）は、使用者の言語と異系の言語とが交互に記載されている場合に強調変更された画像形成対象データの一例を示す図である。
【発明を実施するための形態】
【００１０】
以下、本発明の一実施形態に係る画像形成装置について図面を参照して説明する。図１は、本発明の実施形態に係る画像形成装置の構造を示した模式的な部分断面正面図である。画像形成装置１は、例えば、コピー機能、プリンター機能、スキャナー機能、及びファクシミリ機能のような複数の機能を兼ね備えた複合機であり、装置本体１１に、操作部４７、原稿給送部６、及び原稿読取部５を含んで構成されている。
【００１１】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。
【００１２】
画像形成装置１で原稿読取動作が行われる場合について説明する。原稿給送部６により給送されてくる原稿、又は原稿載置ガラス１６１に載置された原稿の画像を、読取機構１６３を備えた原稿読取部５が光学的に読み取り、そして画像形成対象データを生成する。原稿読取部５により生成された画像形成対象データは、ＨＤＤ（Hard Disk Drive）９２（図２参照）、又はネットワーク接続されたコンピューター等に保存される。
【００１３】
画像形成装置１で画像形成動作が行われる場合について説明する。原稿読取動作により生成された画像形成対象データや、ＨＤＤ９２に記憶されている画像形成対象データ、ネットワーク接続されたコンピューターから受信した画像形成対象データ等に基づいて、画像形成部１２が、給紙部１４から給紙される記録紙（記録媒体）としての用紙Ｐにトナー像を形成する。
【００１４】
画像形成部１２は、ブラック（Ｂｋ）用の画像形成ユニット１２Ｂｋ、イエロー（Ｙ）用の画像形成ユニット１２Ｙ、シアン（Ｃ）用の画像形成ユニット１２Ｃ、及びマゼンタ（Ｍ）用の画像形成ユニット１２Ｍを含んで構成され、これら画像形成ユニット１２Ｂｋ，１２Ｙ，１２Ｃ，１２Ｍはそれぞれドラム型の感光体１２１Ｂｋ，１２１Ｙ，１２１Ｃ，１２１Ｍを備え、感光体１２１Ｂｋ，１２１Ｙ，１２１Ｃ，１２１Ｍは、図中の反時計回りに回転駆動するようになっている。
【００１５】
トナーコンテナ１７Ｂｋ，１７Ｙ，１７Ｃ，１７Ｍはそれぞれブラック用、イエロー用、シアン用、マゼンタ用のトナーを収納するものであり、感光体１２１Ｂｋ，１２１Ｙ，１２１Ｃ，１２１Ｍから離れた位置に、中間転写ベルト１２５を挟んで上方に、装置本体１１に設けられたトナーコンテナ装着部（図示せず）に着脱自在に装着されている。
【００１６】
転写ユニット１２０は、その外周面にトナー像が転写される中間転写ベルト１２５、駆動ローラー１２５ａ、従動ローラー１２５ｂ、及び一次転写ローラー１２６を含んで構成されている。
【００１７】
中間転写ベルト１２５は、駆動ローラー１２５ａと従動ローラー１２５ｂとの間に張架され、感光体１２１Ｂｋ，１２１Ｙ，１２１Ｃ，１２１Ｍの周面に当接した状態で駆動ローラー１２５ａによって駆動され、感光体１２１Ｂｋ，１２１Ｙ，１２１Ｃ，１２１Ｍと同期しながら、無端走行する。
【００１８】
次に、カラー印刷が行われる場合について説明する。感光体１２１Ｂｋ，１２１Ｙ，１２１Ｃ，１２１Ｍの周囲が一様に帯電され（帯電工程）、電荷を帯びた感光体１２１Ｂｋ，１２１Ｙ，１２１Ｃ，１２１Ｍの表面に、画像形成対象データに基づいて、レーザー光が照射されて潜像が形成され（露光工程）、潜像がトナーで可視像化され（現像工程）、可視像化することによって形成されたトナー像が一次転写ローラー１２６によって中間転写ベルト１２５上に転写されるようになっている。
【００１９】
中間転写ベルト１２５上に転写される各色（ブラック、イエロー、シアン、マゼンタ）のトナー像は、転写タイミングを調整して中間転写ベルト１２５上で重ね合わされ、カラーのトナー像となる。
【００２０】
二次転写ローラー２１０は、中間転写ベルト１２５の表面に形成されたカラーのトナー像を、中間転写ベルト１２５を挟んだ、駆動ローラー１２５ａとのニップ部Ｎにおいて、給紙部１４から搬送路１９０を搬送されてきた用紙Ｐに転写させるものである。なお、ここまで説明したのはカラー印刷の場合であり、モノクロ印刷の場合には、イエロー用、シアン用、及びマゼンタ用の感光体１２１Ｙ，１２１Ｃ，１２１Ｍは使用されず、ブラック用の感光体１２１Ｂｋだけが使用されることになる。
【００２１】
定着部１３は、熱圧着によりトナー像を用紙Ｐに定着させるものであり、定着処理が施されたカラー画像形成済みの用紙Ｐは、排出トレイ１５１に排出されることになる。
【００２２】
給紙部１４は、複数の給紙カセット、及び各給紙カセットに収容された記録紙をピックアップするためのピックアップローラー１４５を含んで構成され、操作者による指示等で指定されたサイズの記録紙をピックアップするように、対応するピックアップローラー１４５を回転駆動させて、指定された記録紙をニップ部Ｎに向けて搬送するものである。
【００２３】
図２は、画像形成装置１の主要内部構成を概略的に示した機能ブロック図である。画像形成装置１は、制御ユニット１０、原稿給送部６、原稿読取部５、画像形成部１２、画像メモリー３２、ＨＤＤ９２、定着部１３、原稿センサー１５、操作部４７、ファクシミリ通信部７１、及びネットワークインターフェイス部９１を含んで構成されている。なお、図１に示した画像形成装置１と同様の構成部分については同符号を付し、ここではその詳しい説明を省略する。
【００２４】
原稿給送部６は、読取対象の原稿を原稿読取部５へ給送する。
【００２５】
原稿読取部５は、制御ユニット１０を構成する制御部１００による制御の下、光照射部及びＣＣＤ（Charge Coupled Device）センサー等を有する読取機構（図示せず）を備えており、原稿読取部５は、光照射部を使って原稿を照射し、その反射光をＣＣＤセンサーで受光することによって、原稿から画像を読み取る。すなわち、原稿読取部５は、原稿から画像を読み取ることで画像形成対象データを得る。なお、原稿読取部５は、特許請求の範囲における受付部の一例である。
【００２６】
画像形成部１２は、印刷すべき画像のトナー像を用紙上に形成する。
【００２７】
画像メモリー３２は、原稿読取部５による原稿読み取りで得られた画像形成対象データを一時的に記憶したり、画像形成部１２のプリント対象となるデータを一時的に保存したりするための領域である。
【００２８】
ＨＤＤ９２は、原稿読取部５による原稿読み取りで得られた画像形成対象データ等を記憶する大容量の記憶装置である。
【００２９】
定着部１３は、用紙上のトナー像を、熱圧着により用紙に定着させる。
【００３０】
原稿センサー１５は、原稿給送部６の原稿挿入口近くに設置され、原稿給送部６の原稿トレイにセットされている原稿の有無を検知する。
【００３１】
操作部４７の表示部４７３はタッチパネル機能を備え、操作者は画面表示されるボタンやキーに触れて、タッチパネル機能により画像形成装置１を操作することができる。
【００３２】
ファクシミリ通信部７１は、図示しない符号化・複合化部、変復調部、及びＮＣＵ（Network Control Unit）等を備え、公衆電話回線網を用いてのファクシミリの通信を行うものである。例えば、ファクシミリ通信部７１は、ファクシミリの通信により受信した画像形成対象データを受け付ける。なお、ファクシミリ通信部７１は、特許請求の範囲における受付部の一例である。
【００３３】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター（パソコン）等の外部装置２０と種々のデータの送受信を行うものである。例えば、ネットワークインターフェイス部９１は、外部装置２０から受信したプリントジョブに含まれる画像形成対象データを受け付ける。なお、ネットワークインターフェイス部９１は、特許請求の範囲における受付部の一例である。
【００３４】
制御ユニット１０は、ＣＰＵ（Central Processing Unit）、ＲＡＭ（Random Access Memory）、ＲＯＭ（Read Only Memory）、及び専用のハードウェア回路を含んで構成される。制御ユニット１０は、画像形成装置１の全体的な動作制御を司る制御部１００と、取得部１０１と、保有判定部１０２と、視認性判定部１０３と、態様変更部１０４と、操作部言語設定部１０５と、ログイン処理部１０６と、カラー判定部１０７と、設定判定部１０８と、を備えている。
【００３５】
制御ユニット１０は、ＨＤＤ９２にインストールされている制御プログラムに従った動作により、制御部１００と、取得部１０１と、保有判定部１０２と、視認性判定部１０３と、態様変更部１０４と、操作部言語設定部１０５と、ログイン処理部１０６と、カラー判定部１０７と、設定判定部１０８として機能する。但し、制御部１００等は、制御ユニット１０による制御プログラムに従った動作によらず、制御部１００と、取得部１０１と、保有判定部１０２と、視認性判定部１０３と、態様変更部１０４と、操作部言語設定部１０５と、ログイン処理部１０６と、カラー判定部１０７と、設定判定部１０８とをそれぞれハードウェア回路により構成することも可能である。以下、特に触れない限り、各実施形態について同様である。
【００３６】
制御部１００は、原稿給送部６、原稿読取部５、画像形成部１２、画像メモリー３２、ＨＤＤ９２、定着部１３、原稿センサー１５、操作部４７、ファクシミリ通信部７１、及びネットワークインターフェイス部９１と接続され、これら各部の駆動制御を行う。画像形成装置１は、上記のコピー機能、プリンター機能、スキャナー機能、及びファクシミリ機能のような複数の機能を実行が可能とされているが、制御部１００は、当該複数の機能についての各動作を制御する。
【００３７】
ＨＤＤ９２には、複数の言語のテキストデータと、表示部４７３に表示される言語（例えば、日本語、英語、中国語など）を示す操作部言語情報とが予め記憶されている。
【００３８】
操作部言語設定部１０５は、操作部４７の表示部４７３に表示される言語を、使用者による操作により指定された言語に設定する。例えば、操作部言語設定部１０５は、操作部４７に対する使用者による操作が、「日本語」を選択する操作である場合に、操作部４７の表示部４７３に表示される言語を「日本語」に設定する。制御部１００は、ＨＤＤ９２に記憶された複数の言語のうち日本語のテキストデータを用いて表示部４７３における操作に関する表示が「日本語」で行われる。図３に示すように、表示部４７３の操作画面Ｄ１には、操作に関する表示が日本語で行われる。例えば、表示部４７３の操作画面Ｄ１には、コピー機能、スキャン機能、及びファクシミリ（ファクス）機能それぞれに対応する選択ボタンＢ１〜Ｂ３が日本語で表示される。
【００３９】
ＨＤＤ９２は、ユーザー情報記憶部９２ａを備えている。ユーザー情報記憶部９２ａには、画像形成装置１にログインするか否かを判断するために用いる正規の各使用者固有の識別情報及びパスワード等からなるログイン情報と、当該識別情報に対応付けて、当該識別情報に対応する使用者が認識可能な予め定められた言語を示す使用者言語情報が記憶されている。すなわち、ユーザー情報記憶部９２ａは、画像形成装置１の利用資格を有する有資格者の情報と、有資格者が認識可能な言語とを予め記憶している。
【００４０】
図４は、ユーザー情報記憶部９２ａのデータ構成の一例を示した図である。ユーザー情報記憶部９２ａに記憶されたログイン情報は、画像形成装置１にログインするために必要なユーザー固有の識別情報である識別コードとしてのユーザーＩＤ（ログイン名）と、パスワードとで構成される。なお、ログイン情報には、更に、有資格者のユーザー名を含めるようにしてもよい。使用者言語情報は、使用者の言語を示す情報のことであり、図４に示すように、各ログイン情報に対応付けて記憶されている。例えば、ユーザー名がＡ氏である場合は、ユーザーＩＤ（ログイン名）が「１７０２１」であり、パスワードが「５２７１２４」であり、Ａ氏の言語情報が「日本語」であると記憶されている。なお、ユーザー情報記憶部９２ａは、特許請求の範囲における記憶部の一例である。
【００４１】
ログイン処理部１０６は、使用者により操作部４７に入力されたログイン情報が、ＨＤＤ９２に記憶されているログイン情報と一致すると判断したとき、当該画像形成装置１へのログインを許可する。具体的には、ログイン処理部１０６は、表示部４７３に表示された認証画面を通じてユーザーから操作部４７に入力されたログイン名（ユーザーＩＤ）及びパスワードを取得し、取得したユーザーＩＤ及びパスワードをＨＤＤ９２のユーザー情報記憶部９２ａに記憶されているユーザーＩＤ及びパスワードと照合することによって、ユーザーＩＤ及びパスワードを入力したユーザーが本装置（つまり、当該画像形成装置１）の利用資格を有する有資格者であるか否かを判断する。また、ログイン処理部１０６は、現在においてログインを許可している使用者のログイン情報を特定するための使用者特定フラグをオン状態にしてユーザー情報記憶部９２ａに記憶させる。
【００４２】
取得部１０１は、使用者の言語を示す使用者言語情報を取得する。具体的には、取得部１０１は、ログイン処理部１０６が画像形成装置１へのログインを許可した場合に、使用者による操作部４７の操作により指定された操作部言語情報が示す言語にかかわらず、ログイン情報に対応付けて記憶されている使用者言語情報をユーザー情報記憶部９２ａから取得する。例えば、取得部１０１は、Ａ氏が当該画像形成装置１にログインしている場合には、ユーザー情報記憶部９２ａを検索して、使用者特定フラグをオン状態となっているログイン情報を特定し、このログイン情報（ここではＡ氏のユーザーＩＤ（ログイン名））に対応する使用者言語情報（つまり、Ａ氏の言語情報である「日本語」）を取得する。
【００４３】
また、取得部１０１は、ユーザー情報記憶部９２ａに使用者言語情報が記憶されておらず、当該使用者言語情報を取得できない場合、又は、ログイン処理部１０６が画像形成装置１へのログインを許可していない場合（例えば、入力されたログイン情報がユーザー情報記憶部９２ａに記憶されているログイン情報と不一致であった場合）には、使用者による操作部４７の操作により指定されたＨＤＤ９２に記憶されている現在の操作部言語情報（つまり、表示部４７３に表示されている言語の操作部言語情報）を取得する。
【００４４】
保有判定部１０２は、ファクシミリ通信部７１においてファクシミリの通信により受信した画像形成対象データ、ネットワークインターフェイス部９１が受け付けたプリントジョブに含まれる画像形成対象データ、又は、原稿読取部５による原稿読取で得られた画像形成対象データに、取得部１０１が取得した使用者言語情報が示す使用者の言語が含まれているか否かを判定する。
【００４５】
具体的には、受付部が原稿読取部５である場合、原稿読取部５により原稿を読み取ることで得られた画像形成対象データが、ＨＤＤ９２に記憶される。また、受付部がファクシミリ通信部７１又はネットワークインターフェイス部９１である場合、ファクシミリ通信部７１又はネットワークインターフェイス部９１が受信した画像形成対象データが画像メモリー３２（又はＨＤＤ９２）に記憶される。保有判定部１０２は、受付部が原稿読取部５である場合には、画像メモリー３２又はＨＤＤ９２に記憶された画像形成対象データをＯＣＲ（光学的文字認識）処理することにより、既知のフォントを示す画像と、原稿読取部５による読み取られた画像形成対象データにおける文字を示す画像とのパターンマッチング等による照合で画像形成対象データの各文字をそれぞれ認識し、画像形成対象データの認識した文字の言語と、取得部１０１が取得した使用者言語情報が示す使用者の言語とが一致するか否かを判定する。また、保有判定部１０２は、受付部がファクシミリ通信部７１である場合も、原稿読取部５である場合と同様に、画像形成対象データの認識した文字の言語と、取得部１０１が取得した使用者言語情報が示す使用者の言語とが一致するか否かを判定する。また、保有判定部１０２は、受付部がネットワークインターフェイス部９１である場合、画像メモリー３２又はＨＤＤ９２に記憶された画像形成対象データについてのページ記述言語を解析にすることにより、画像形成対象データの文字の言語と、取得部１０１が取得した使用者言語情報が示す使用者の言語とが一致するか否かを判定する。
【００４６】
視認性判定部１０３は、保有判定部１０２において、前記受付部が受け付けた画像形成対象データに使用者の言語が含まれていると判定されると、前記受け付けた画像形成対象データにおける当該使用者の言語で記載されている部分についての視認性の良否を、予め定められた不適内容に該当するか否かにより判定する。視認性判定部１０３は、画像形成対象データをＯＣＲ（光学的文字認識）処理すること、又は、画像形成対象データについてのページ記述言語を解析にすることにより、当該使用者の言語で記載されている部分と、それ以外の言語で記載されている部分とを判定してもよいし、保有判定部１０２での判定結果を活用してもよい。
【００４７】
具体的には、視認性判定部１０３は、図６（Ａ）に示すように、前記受け付けた画像形成対象データにおいて、当該使用者の言語と、当該使用者の言語と同系の言語とが含まれている場合に、前記予め定められた不適内容に該当すると判定する。
【００４８】
同系の言語とは、同種の文字を用いる言語、又は、同じ文字を共通して用いる言語のことである。例えば、漢字を用いる言語としては、日本語、中国語、台湾語などがあり、これらは同系の言語である。また、アルファベットを用いる言語としては、英語、ドイツ語、フランス語などがあり、これらは同系の言語である。
【００４９】
また、異系の言語とは、同種の文字を用いない言語、又は、同じ文字を共通して用いない言語のことである。例えば、日本語と英語とは同種の文字を用いない言語であり、異系の言語である。
【００５０】
なお、視認性判定部１０３は、図６（Ｂ）に示すように、前記受け付けた画像形成対象データに、当該使用者の言語と、当該使用者の言語と異系の言語とが半分ずつに分かれて記載されている場合に、前記予め定められた不適内容に該当しないと判定する。この場合には、図６（Ｂ）に示すように、日本語と英語とは異系の言語であり、両言語が同程度に二分されており、両言語の区別がはっきりしており、不適内容に該当しないと判定される。つまり、英語を日本語と思って読む人はいないし、日本語を英語と思って読む人もいないことから、読むべき言語の選択を使用者が誤る可能性は低い。
【００５１】
視認性判定部１０３は、図７（Ａ）に示すように、前記受け付けた画像形成対象データにおいて、当該使用者の言語とは異系の言語で記載されている部分の占める割合が、当該使用者の言語で記載されている部分の占める割合よりも大きい場合に、前記予め定められた不適内容に該当すると判定する。この場合には、異系の言語の記載部分が多く、使用者の言語の記載部分を見落とすおそれがあるため、不適内容に該当すると判定される。
【００５２】
視認性判定部１０３は、図７（Ｂ）に示すように、前記受け付けた画像形成対象データにおいて、当該使用者の言語とは異系の言語で記載されている部分と、当該使用者の言語で記載されている部分とが交互に配置されている場合に、前記予め定められた不適内容に該当すると判定する。この場合には、使用者の言語の記載部分と異系の言語の記載部分とが交互に存在し、使用者の言語の記載部分を見落とすおそれがあるため、不適内容に該当すると判定される。
【００５３】
態様変更部１０４は、視認性判定部１０３において前記予め定められた不適内容に該当すると判定されると、前記受け付けた画像形成対象データにおける当該使用者の言語で記載されている部分を他の言語部分とは異なる表示態様（例えば強調した態様）に変更する。なお、態様変更部１０４は、画像形成対象データをＯＣＲ（光学的文字認識）処理すること、又は、画像形成対象データについてのページ記述言語を解析にすることにより、当該使用者の言語で記載されている部分と、他の言語で記載されている部分とを判定してもよいし、保有判定部１０２での判定結果を活用してもよい。
【００５４】
画像形成部１２は、態様変更部１０４にて変更された表示態様（例えば強調した態様）での画像形成対象データを用紙Ｐに画像形成する。
【００５５】
カラー判定部１０７は、受け付けた画像形成対象データがカラーであるか否かを判定する。すなわち、カラー判定部１０７は、受け付けた画像形成対象データがモノクロ又はカラーの何れであるかを、ＡＣＳ（Auto Color Selection）処理により自動的に判別する。
【００５６】
例えば、カラー判定部１０７は、原稿読取部５により原稿を読み取ることで得られた画像形成対象データが、カラーであるか否か（画像形成対象データが少なくとも１つの有彩色を用いたカラーの画像を有するか否か）をＡＣＳ（Auto Color Selection）処理により自動的に判別する。
【００５７】
また、カラー判定部１０７は、ファクシミリ通信部７１又はネットワークインターフェイス部９１が受信して画像メモリー３２に記憶されている画像形成対象データが、ＡＣＳ処理により、カラーであるかモノクロであるかを判別する。具体的には、カラー判定部１０７は、ＡＣＳ処理において、対象領域を構成する画素のうちカラー画素が占める割合を算出する。カラー判定部１０７は、カラー画素が占める割合が予め定められた閾値以上である場合に、画像形成対象データがカラーであると判別し、カラー画素が占める割合が予め定められた閾値未満である場合に、画像形成対象データがモノクロであると判別する。
【００５８】
設定判定部１０８は、画像形成部１２にて画像形成対象データを用紙Ｐに形成する設定がカラー設定又はモノクロ設定の何れであるかを判定する。例えば、ＨＤＤ９２には、使用者による印刷設定操作に従って印刷設定が「カラー設定」又は「モノクロ設定」の何れであるかが記憶されている。設定判定部１０８は、ＨＤＤ９２に記憶された印刷設定を読み出すことで、印刷設定が「カラー設定」又は「モノクロ設定」の何れであるかを判定する。
【００５９】
態様変更部１０４は、視認性判定部１０３において前記予め定められた不適内容に該当すると判定されると、前記受け付けた画像形成対象データがカラーであるか否かをカラー判定部１０７が判定し、カラー判定部１０７にて当該画像形成対象データがカラーではないと判定され、かつ、設定判定部１０８にてカラー設定であると判定された場合に、当該画像形成対象データにおける当該使用者の言語で記載されている部分をカラー表示態様に変更する。また、態様変更部１０４は、カラー判定部１０７にて画像形成対象データがカラーであると判定された場合、又は、設定判定部１０８にてモノクロ設定であると判定された場合に、当該画像形成対象データにおける当該使用者の言語で記載されている部分をカラー表示態様に変更しない。
【００６０】
次に、画像形成装置１による印刷処理について説明する。図５は、画像形成装置１による印刷処理の一例を示すフローチャートである。なおここでは、使用者であるＡ氏が当該画像形成装置１にログインしており、印刷対象となる原稿が原稿給送部６の原稿トレイにセットされ、操作部４７に対して当該原稿のコピー指示（画像形成動作実行指示）がＡ氏によりなされたとする。
【００６１】
取得部１０１は、使用者の言語を示す使用者言語情報を取得する（Ｓ２１）。本実施形態では、取得部１０１は、ユーザー情報記憶部９２ａを検索して、オン状態の使用者特定フラグを特定し、当該画像形成装置１にログインしているＡ氏のログイン情報（例えば、ユーザーＩＤ）に対応する使用者言語情報（Ａ氏の言語情報である「日本語」）を取得する。
【００６２】
保有判定部１０２は、原稿読取部５が受け付けた画像形成対象データに、取得部１０１が取得した使用者言語情報が示す使用者の言語が含まれているか否かを判定する（Ｓ２２）。保有判定部１０２は、図６（Ａ）に示す元の画像形成対象データの上半分に日本語の文章が記載されていることから、図６（Ａ）に示す元の画像形成対象データに、使用者であるＡ氏の言語である「日本語」が含まれていると判定する（Ｓ２２「Ｙｅｓ」）。
【００６３】
視認性判定部１０３は、保有判定部１０２が使用者の言語が含まれていると判定すると（Ｓ２２「Ｙｅｓ」）、図６（Ａ）に示す元の画像形成対象データに、当該使用者の言語と、当該使用者の言語と同系の言語とが含まれているか否かを判定する（Ｓ２３）。視認性判定部１０３は、図６（Ａ）に示す場合には、画像形成対象データの上半分に日本語の文章が記載され、同頁の下半分に中国語の文章が記載されていることから、当該画像形成対象データに、当該使用者の言語「日本語」と、当該使用者の言語と同系の言語「中国語」とが含まれていると判定し（Ｓ２３「Ｙｅｓ」）、カラー判定部１０７は、受け付けた画像形成対象データが単色（つまり、モノクロ）であるか否かを判定する（Ｓ２７）。カラー判定部１０７は、図６（Ａ）に示す場合には、画像形成対象データの上半分に日本語の文章が黒字で記載され、同頁の下半分に中国語の文章が黒字で記載されていることから、当該画像形成対象データがモノクロであると判定する（Ｓ２７「Ｙｅｓ」）。
【００６４】
設定判定部１０８は、カラー判定部１０７にて当該画像形成対象データがモノクロであると判定されると（Ｓ２７「Ｙｅｓ」）、画像形成部１２による画像形成対象データを用紙Ｐに形成する設定がカラー設定又はモノクロ設定の何れであるかを判定する（Ｓ２８）。本実施形態では、印刷設定が「カラー設定」であることがＨＤＤ９２に記憶されている。このため、設定判定部１０８は、ＨＤＤ９２に記憶された印刷設定を読み出すことで、印刷設定が「カラー設定」であると判定する（Ｓ２８「Ｙｅｓ」）。
【００６５】
態様変更部１０４は、設定判定部１０８にて印刷設定が「カラー設定」であると判定されると（Ｓ２８「Ｙｅｓ」）、当該画像形成対象データにおける当該使用者の言語で記載されている部分をカラー表示態様に変更する（Ｓ２９）。すなわち、態様変更部１０４は、視認性判定部１０３において前記予め定められた不適内容に該当すると判定されると（Ｓ２３「Ｙｅｓ」）、前記受け付けた画像形成対象データがカラーであるか否かをカラー判定部１０７が判定し（Ｓ２７）、カラー判定部１０７にて画像形成対象データがモノクロであると判定され（Ｓ２７「Ｙｅｓ」）、かつ、設定判定部１０８にてカラー設定であると判定された場合（Ｓ２８「Ｙｅｓ」）に、当該画像形成対象データにおける当該使用者の言語で記載されている部分をカラー表示態様に変更する（Ｓ２９）。図６（Ａ）に示すように、画像形成対象データの上半分に日本語の文章が黒字から赤字に変更され、同頁の下半分に中国語の文章が黒字のままとされている。
【００６６】
そして、Ｓ２９のあと、画像形成部１２は、態様変更部１０４にて変更された表示態様（例えば強調した態様）での画像形成対象データを用紙Ｐに形成する（Ｓ３０）。図６（Ａ）に示すように例えば強調変更後の画像形成対象データが印刷される。そして、Ｓ３０のあと、制御部１００は、本印刷処理を終了させる。
【００６７】
一方、Ｓ２３において、視認性判定部１０３は、図７（Ａ）に示す場合には、画像形成対象データに、日本語の文章と、当該日本語とは異系の言語である英語の文章とが記載されていることから、当該画像形成対象データに、当該使用者の言語「日本語」と、当該使用者の言語と同系の言語とが含まれていないと判定する（Ｓ２３「Ｎｏ」）。そして、視認性判定部１０３は、画像形成対象データにおいて、当該使用者の言語「日本語」とは異系の言語「英語」で記載されている部分の占める割合が、例えば３／４以上であるか否かを判定する（Ｓ２４）。視認性判定部１０３は、図７（Ａ）に示す場合には、画像形成対象データにおいて、当該使用者の言語「日本語」とは異系の言語「英語」で記載されている部分の占める割合が、３／４以上であると判定し（Ｓ２４「Ｙｅｓ」）、Ｓ２７に進む。
【００６８】
なお、画像形成対象データにおいて異系の言語で記載されている部分の占める割合は、３／４以上であることに限定されるものではない。すなわち、視認性判定部１０３は、画像形成対象データにおいて、当該使用者の言語「日本語」とは異系の言語「英語」で記載されている部分の占める割合が、当該使用者の言語で記載されている部分の占める割合よりも大きいか否かを判定してもよい。
【００６９】
図７（Ａ）に示す場合において、カラー判定部１０７にて画像形成対象データがモノクロであると判定され（Ｓ２７「Ｙｅｓ」）、かつ、設定判定部１０８にてカラー設定であると判定されると（Ｓ２８「Ｙｅｓ」）、当該画像形成対象データにおける当該使用者の言語で記載されている部分をカラー表示態様に変更する（Ｓ２９）。図７（Ａ）に示すように、画像形成対象データの上側１／４箇所の日本語の文章が黒字から赤字に変更され、同頁の下側３／４箇所の英語の文章が黒字のままとされている。
【００７０】
そして、Ｓ２９のあと、画像形成部１２は、態様変更部１０４にて強調した態様に変更された画像形成対象データを用紙Ｐに形成する（Ｓ３０）。図７（Ａ）に示すように強調変更後の画像形成対象データが印刷される。そして、Ｓ３０のあと、制御部１００は、本印刷処理を終了させる。
【００７１】
一方、Ｓ２４において、視認性判定部１０３は、図７（Ｂ）に示す場合には、画像形成対象データにおいて、日本語の文章と、当該日本語とは異系の言語である英語の文章とが交互に記載されており、画像形成対象データにおける「日本語」の記載部分と「英語」の記載部分とがそれぞれ１／２ずつであることから、画像形成対象データにおいて、当該使用者の言語「日本語」とは異系の言語「英語」で記載されている部分の占める割合が、例えば３／４以上でないと判定する（Ｓ２４「Ｎｏ」）。視認性判定部１０３は、図７（Ｂ）に示す場合には画像形成対象データにおいて、日本語の文章と、当該日本語とは異系の言語である英語の文章とが交互に記載されているか否かを判定する（Ｓ２５）。視認性判定部１０３は、図７（Ｂ）に示す場合には、画像形成対象データにおいて、日本語の文章と英語の文章とが交互に記載されていると判定し（Ｓ２５「Ｙｅｓ」）、Ｓ２７に進む。
【００７２】
なお、画像形成対象データにおいて使用者の言語（例えば「日本語」）と異系の言語（例えば「英語」）とが文章毎に交互に記載されているが、これに限定されるものではない。すなわち、視認性判定部１０３は、画像形成対象データにおいて、当該使用者の言語「日本語」と異系の言語「英語」とが行毎に交互に記載されているか否かを判定してもよい。
【００７３】
図７（Ｂ）に示す場合において、カラー判定部１０７にて画像形成対象データがモノクロであると判定され（Ｓ２７「Ｙｅｓ」）、かつ、設定判定部１０８にてカラー設定であると判定されると（Ｓ２８「Ｙｅｓ」）、当該画像形成対象データにおける当該使用者の言語で記載されている部分をカラー表示態様に変更する（Ｓ２９）。図７（Ｂ）に示すように、画像形成対象データにおける日本語の文章が黒字から赤字に変更され、同頁における英語の文章が黒字のままとされている。
【００７４】
そして、Ｓ２９のあと、画像形成部１２は、態様変更部１０４にて強調した態様に変更された画像形成対象データを用紙Ｐに形成する（Ｓ３０）。図７（Ｂ）に示すように強調変更後の画像形成対象データが印刷される。そして、Ｓ３０のあと、制御部１００は、本印刷処理を終了させる。
【００７５】
一方、画像形成部１２は、画像形成対象データに使用者の言語（例えば「日本語」）が含まれていないと判定した場合（Ｓ２２「Ｎｏ」）、画像形成対象データに使用者の言語（例えば「日本語」）と異系の言語（例えば「英語」）との文章が交互に記載されていないと判定した場合（Ｓ２５「Ｎｏ」）、カラー判定部１０７にて画像形成対象データがモノクロではないと判定された場合（Ｓ２７「Ｎｏ」）、又は、設定判定部１０８にて印刷設定が「カラー設定」でないと判定された場合（Ｓ２８「Ｎｏ」）において、当該画像形成対象データを使用者の言語で記載されている部分を強調することなく、元の画像形成対象データをそのままの態様で印刷する（Ｓ２６）。そして、Ｓ３０のあと、制御部１００は、本印刷処理を終了させる。
【００７６】
ここで、図６（Ｂ）に示す画像形成対象データの場合について説明する。視認性判定部１０３は、図６（Ｂ）に示す場合には、画像形成対象データに日本語と英語の文章とが記載されていることから、当該画像形成対象データに、使用者の言語「日本語」と、当該使用者の言語と同系の言語とが含まれていないと判定する（Ｓ２３「Ｎｏ」）。そして、視認性判定部１０３は、図６（Ｂ）に示す場合には、画像形成対象データにおける「日本語」の記載部分と「英語」の記載部分とがそれぞれ１／２ずつであることから、画像形成対象データにおいて、当該使用者の言語「日本語」とは異系の言語「英語」で記載されている部分の占める割合が、例えば３／４以上でないと判定する（Ｓ２４「Ｎｏ」）。そして、視認性判定部１０３は、図６（Ｂ）に示す場合には、画像形成対象データにおいて、日本語の文章と英語の文章とが交互に記載されていないと判定する（Ｓ２５「Ｎｏ」）。そして、画像形成部１２は、図６（Ｂ）に示す画像形成対象データの場合には、そのままの態様で印刷する。
【００７７】
この実施形態によれば、取得部１０１は、使用者の言語を示す使用者言語情報を取得する。保有判定部１０２は、画像形成対象データに、取得部１０１が取得した使用者言語情報が示す使用者の言語が含まれているか否かを判定する。視認性判定部１０３は、保有判定部１０２において、画像形成対象データに使用者の言語が含まれていると判定されると、前記画像形成対象データにおける当該使用者の言語で記載されている部分についての視認性の良否を、予め定められた不適内容に該当するか否かにより判定する。態様変更部１０４は、視認性判定部１０３において前記予め定められた不適内容に該当すると判定されると、前記画像形成対象データにおける当該使用者の言語で記載されている部分を他の部分とは異なる表示態様（例えば、強調した態様）に変更する。画像形成部１２は、態様変更部１０４により変更された態様の画像形成対象データを用紙Ｐに形成する。このため、複数の言語の文章を含む画像形成対象データを印刷するに際して、当該画像形成対象データにおける使用者の言語による文章についての視認性が低い場合に、使用者の言語による文章を他の部分とは異なる表示態様（例えば、強調した態様）に変更して印刷することができる。また、画像形成対象データにおける使用者の言語による文章についての視認性が高い場合には、使用者の言語による文章を強調することなく印刷するので、強調して印刷するためのトナー（例えばカラートナーなど）が余分に消費されることを防止できる。
【００７８】
また、視認性判定部１０３は、図６（Ａ）に示すように、前記受け付けた画像形成対象データに、当該使用者の言語と、当該使用者の言語と同系の言語とが含まれている場合に、前記予め定められた不適内容に該当すると判定する。このため、画像形成対象データに、使用者の言語とこれと同系の言語とが含まれているという視認性の低い文書の場合に、使用者の言語による文章を他の部分とは異なる表示態様（例えば、強調した態様）に変更して印刷することにより、使用者の言語による文章についての視認性を向上させることができる。したがって、使用者の利便性を向上させることができる。
【００７９】
また、視認性判定部１０３は、図７（Ａ）に示すように、前記受け付けた画像形成対象データにおいて、当該使用者の言語とは異系の言語で記載されている部分の占める割合が、当該使用者の言語で記載されている部分の占める割合よりも大きい場合に、前記予め定められた不適内容に該当すると判定する。このため、画像形成対象データに、使用者の言語とは異系の言語で記載されている部分の占める割合が、当該使用者の言語で記載されている部分の占める割合よりも大きいという視認性の低い文書の場合に、使用者の言語による文章を他の部分とは異なる表示態様（例えば、強調した態様）に変更して印刷することにより、使用者の言語による文章についての視認性を向上させることができる。したがって、使用者の利便性を向上させることができる。
【００８０】
また、視認性判定部１０３は、図７（Ｂ）に示すように、前記受け付けた画像形成対象データにおいて、当該使用者の言語とは異系の言語で記載されている部分と、当該使用者の言語で記載されている部分とが交互に配置されている場合に、前記予め定められた不適内容に該当すると判定する。このため、画像形成対象データに、使用者の言語とは異系の言語で記載されている部分と、使用者の言語で記載されている部分とが交互に配置されているという視認性の低い文書の場合に、使用者の言語による文章を他の部分とは異なる表示態様（例えば、強調した態様）に変更して印刷することにより、使用者の言語による文章についての視認性を向上させることができる。したがって、使用者の利便性を向上させることができる。
【００８１】
また、取得部１０１は、ログイン処理部１０６が画像形成装置１へのログインを許可した場合に、ログイン情報に対応付けて記憶されている使用者言語情報をユーザー情報記憶部９２ａから取得し、ユーザー情報記憶部９２ａに使用者言語情報が記憶されておらず、当該使用者言語情報を取得できない場合、又は、ログイン処理部１０６が画像形成装置１へのログインを許可していない場合（例えば、入力されたログイン情報がユーザー情報記憶部９２ａに記憶されているログイン情報と不一致であった場合）には、ＨＤＤ９２に記憶されている現在の操作部言語情報（つまり、表示部４７３に表示されている言語の操作部言語情報）を取得する。このため、画像形成装置１へのログインが許可された場合には、ログインした使用者の言語による文章を他の部分とは異なる表示態様（例えば、強調した態様）に変更して印刷することにより、使用者の言語による文章についての視認性を向上させることができる。また、使用者言語情報を取得できない場合、又は、画像形成装置１へのログインが許可されていない場合であっても、使用者の言語と同じである操作部４７の言語による文章を他の部分とは異なる表示態様（例えば、強調した態様）に変更して印刷することにより、使用者の言語による文章についての視認性を向上させることができる。したがって、使用者の利便性を向上させることができる。
【００８２】
また、態様変更部１０４は、視認性判定部１０３において前記予め定められた不適内容に該当すると判定された場合であって、(i)前記受け付けた画像形成対象データがカラーであるか否かをカラー判定部１０７が判定し、カラー判定部１０７にて当該画像形成対象データがカラーではないと判定され、かつ、設定判定部１０８にてカラー設定であると判定された場合に、当該画像形成対象データにおける当該使用者の言語で記載されている部分をカラー表示態様に変更し、(ii)カラー判定部１０７にて当該画像形成対象データがカラーであると判定された場合又は設定判定部１０８にてモノクロ設定であると判定された場合に、当該画像形成対象データにおける当該使用者の言語で記載されている部分をカラー表示態様に変更しない。
【００８３】
このため、受け付けた画像形成対象データがカラーでない場合（つまり、モノクロの場合）であって、画像形成部１２にて画像形成対象データを用紙Ｐに形成する設定がカラー設定である場合（つまり、カラー印刷設定である場合）には、当該画像形成対象データにおける当該使用者の言語で記載されている部分をカラー表示態様に変更して強調することができる。一方、受け付けた画像形成対象データがカラーである場合、又は、画像形成部にて画像形成対象データを用紙Ｐに形成する設定がモノクロ設定である場合（つまり、モノクロ印刷設定である場合）には、カラーにおける使用者の言語で記載されている部分をカラー表示態様に変更しない。これにより、画像形成対象データがカラーである場合における使用者の言語で記載されている部分をカラー表示態様に変更したとしても、強調効果が乏しいことから、画像形成対象データがカラーである場合における使用者の言語で記載されている部分を無駄にカラー表示態様に変更されることを防止できる。また、使用者が設定したモノクロ印刷設定を、使用者の意思に反してカラー印刷設定に強制的に変更されることを防止でき、使用者が望まないカラー印刷を防止できる。
【００８４】
本発明は上記実施の形態の構成に限られず種々の変形が可能である。また、上記実施形態では、使用者の言語が「日本語」の場合について説明しているが、これに限定されない。例えば、使用者の言語は、中国語、英語、ドイツ語、フランス語など日本語以外の言語の場合であってもよい。例えば、取得部１０１は、図４に示すＢ氏がログインしている場合には、Ｂ氏に対応する使用者言語情報（つまり、Ｂ氏の言語情報である「英語」）を取得する。また、取得部１０１は、図４に示すＣ氏がログインしている場合には、Ｃ氏に対応する使用者言語情報（つまり、Ｃ氏の言語情報である「中国語」）を取得する。
【００８５】
また、上記実施形態では、態様変更部１０４は、画像形成対象データにおける使用者の言語で記載されている部分を他の部分とは異なる表示態様（例えば、強調した態様）に変更する一例として、例えば文字の色を変更しているが、これに限定されない。態様変更部１０４は、例えば、使用者の言語の文字を、太字、斜体に変更したり、別のフォントに変更したり、当該使用者の言語の文章、文字部分などを枠囲みに変更したりしてもよい。
【００８６】
また、上記実施形態では、印刷対象となる原稿が原稿給送部６の原稿トレイにセットされ、原稿読取部５による原稿読み取りで得られた画像形成対象データについて説明しているが、これに限定されない。例えば、ファクシミリ通信部７１が受信した画像形成対象データであってもよい。
【００８７】
また、ネットワークインターフェイス部９１が受信したプリントジョブに含まれる画像形成対象データであってもよい。具体的には、保有判定部１０２は、受付部がネットワークインターフェイス部９１である場合、画像メモリー３２又はＨＤＤ９２に記憶された画像形成対象データについてのページ記述言語を解析することにより、画像形成対象データの文字の言語と、取得部１０１が取得した使用者言語情報が示す使用者の言語とが一致するか否かを判定する。そして、視認性判定部１０３は、保有判定部１０２において、前記受付部が受け付けた画像形成対象データに使用者の言語が含まれていると判定されると、前記受け付けた画像形成対象データにおける当該使用者の言語で記載されている部分についての視認性の良否を、当該画像形成対象データについてのページ記述言語を解析することによって、予め定められた不適内容に該当するか否かを判定する。そして、態様変更部１０４は、視認性判定部１０３において前記予め定められた不適内容に該当すると判定されると、当該画像形成対象データについてのページ記述言語を解析することによって、前記受け付けた画像形成対象データにおける当該使用者の言語で記載されている部分を他の言語部分とは異なる表示態様（例えば強調した態様）に変更する。そして、画像形成部１２は、態様変更部１０４にて変更された表示態様（例えば強調した態様）での画像形成対象データを用紙Ｐに画像形成する。
【００８８】
また、上記実施形態では、図１乃至図７を用いて上記実施形態により示した構成及び処理は、本発明の一実施形態に過ぎず、本発明を当該構成及び処理に限定する趣旨ではない。
【符号の説明】
【００８９】
１      画像形成装置
５      原稿読取部（受付部）
１０    制御ユニット
１２    画像形成部
４７    操作部
７１    ファクシミリ通信部（受付部）
９１    ネットワークインターフェイス部（受付部）
９２    ＨＤＤ（記憶部）
９２ａ  ユーザー情報記憶部（記憶部）
１００  制御部
１０１  取得部
１０２  保有判定部
１０３  視認性判定部
１０４  態様変更部
１０５  操作部言語設定部
１０６  ログイン処理部
１０７  カラー判定部
１０８  設定判定部
【図１】
2020104504.tif 000003
【図２】
2020104504.tif 000004
【図３】
2020104504.tif 000005
【図４】
2020104504.tif 000006
【図５】
2020104504.tif 000007
【図６】
2020104504.tif 000008
【図７】
2020104504.tif 000009